【手続補正書】
【提出日】令和2年1月16日(2020.1.16)
【手続補正１】
【補正対象書類名】特許請求の範囲
【補正対象項目名】全文
【補正方法】変更
【補正の内容】
【特許請求の範囲】
【請求項１】
基地局(BS)によるワイヤレス通信のための方法であって、
ランダムアクセス手順(RACH)シグネチャの第1のセットをRACHシグネチャの第2のセットから選択するステップであって、各RACHシグネチャは、1つまたは複数のRACHシーケンスの組合せを含み、RACHシグネチャの前記第2のセットは、すべての可能なRACHシグネチャのセットのRACHシグネチャのプルーニングされたセットを含み、RACHシグネチャの前記プルーニングされたセットは、1つまたは複数の非直交RACHシグネチャを含む、ステップと、
RACHシグネチャの前記選択された第1のセットからのRACHシグネチャだけを、前記基地局によってカバーされるゾーンにある1つまたは複数のユーザ機器(UE)に割り当てるステップであって、前記1つまたは複数のUEのそれぞれが、単一のRACHシグネチャに割り当てられる、ステップと、
前記1つまたは複数のUEのうちの少なくとも1つのUEから、RACHシグネチャの前記第1のセットのうちの少なくとも1つのRACHシグネチャを受信するステップであって、前記少なくとも1つのRACHシグネチャは、前記少なくとも1つのUEを識別する対応するデータペイロードなしで受信される、ステップと、
前記少なくとも1つのRACHシグネチャと、RACHシグネチャの前記プルーニングされたセットとに基づいて、前記少なくとも1つのUEを識別するステップと
を含む方法。
【請求項２】
異なる基地局は、前記異なる基地局によってカバーされるゾーンにある1つまたは複数のUEに割り当てるRACHシグネチャの異なる第1のセットを有する、請求項1に記載の方法。
【請求項３】
RACHシグネチャの前記プルーニングされたセットは、すべての可能なRACHシグネチャの前記セットに適用されたバイナリブロックコードフィルタに基づく、請求項1に記載の方法。
【請求項４】
ゾーン容量および冗長性レートのうちの少なくとも1つに基づいて、前記バイナリブロックコードフィルタを調整するステップ
を含む、請求項3に記載の方法。
【請求項５】
前記調整するステップは、前記バイナリブロックコードフィルタのパラメータを調整するステップを含む、請求項4に記載の方法。
【請求項６】
前記少なくとも1つのRACHシグネチャを受信することに応答して、前記識別された少なくとも1つのUEにランダムアクセス応答を送信するステップ
をさらに含む、請求項1に記載の方法。
【請求項７】
前記少なくとも1つのRACHシグネチャを前記受信するステップは、
1つまたは複数のRACHオケージョン中に、前記少なくとも1つのRACHシグネチャの前記1つまたは複数のRACHシーケンスのそれぞれを受信するステップ
を含む、請求項1に記載の方法。
【請求項８】
前記識別するステップは、
前記1つまたは複数のRACHシーケンスで受信されたRACHシーケンスのすべての可能な組合せを決定するステップと、
RACHシーケンスの前記組合せが、RACHシグネチャの前記プルーニングされたセットの中のRACHシグネチャに対応するかどうかを決定するステップと
をさらに含む、請求項7に記載の方法。
【請求項９】
前記少なくとも1つのUEを識別するステップは、
RACHシーケンスの前記プルーニングされたセットの中にないRACHシグネチャに対応するRACHシーケンスの前記組合せを拒絶するステップと、
RACHシーケンスの前記プルーニングされたセットの中にあるRACHシグネチャに対応するRACHシーケンスの前記組合せを受け入れるステップと
を含む、請求項8に記載の方法。
【請求項１０】
前記1つまたは複数の非直交RACHシグネチャは、非直交RACHシーケンスの組合せを有するRACHシグネチャを含む、請求項1に記載の方法。
【請求項１１】
基地局(BS)によるワイヤレス通信のための装置であって、
ランダムアクセス手順(RACH)シグネチャの第1のセットをRACHシグネチャの第2のセットから選択するための手段であって、各RACHシグネチャは、1つまたは複数のRACHシーケンスの組合せを含み、RACHシグネチャの前記第2のセットは、すべての可能なRACHシグネチャのセットのRACHシグネチャのプルーニングされたセットを含み、RACHシグネチャの前記プルーニングされたセットは、1つまたは複数の非直交RACHシグネチャを含む、手段と、
RACHシグネチャの前記選択された第1のセットからのRACHシグネチャだけを、前記基地局によってカバーされるゾーンにある1つまたは複数のユーザ機器(UE)に割り当てるための手段であって、前記1つまたは複数のUEのそれぞれが、単一のRACHシグネチャに割り当てられる、手段と、
前記1つまたは複数のUEのうちの少なくとも1つのUEから、RACHシグネチャの前記第1のセットのうちの少なくとも1つのRACHシグネチャを受信するための手段であって、前記少なくとも1つのRACHシグネチャは、前記少なくとも1つのUEを識別する対応するデータペイロードなしで受信される、手段と、
前記少なくとも1つのRACHシグネチャと、RACHシグネチャの前記プルーニングされたセットとに基づいて、前記少なくとも1つのUEを識別するための手段と
を含む装置。
【請求項１２】
異なる基地局は、前記異なる基地局によってカバーされるゾーンにある1つまたは複数のUEに割り当てるRACHシグネチャの異なる第1のセットを有する、請求項11に記載の装置。
【請求項１３】
RACHシグネチャの前記プルーニングされたセットは、すべての可能なRACHシグネチャの前記セットに適用されたバイナリブロックコードフィルタに基づく、請求項11に記載の装置。
【請求項１４】
前記少なくとも1つのRACHシグネチャを受信することに応答して、前記識別された少なくとも1つのUEにランダムアクセス応答を送信するための手段
をさらに含む、請求項11に記載の装置。
【請求項１５】
前記少なくとも1つのRACHシグネチャを前記受信するための手段は、
1つまたは複数のRACHオケージョン中に、前記少なくとも1つのRACHシグネチャの前記1つまたは複数のRACHシーケンスのそれぞれを受信するための手段
を含む、請求項11に記載の装置。
【請求項１６】
前記1つまたは複数のRACHシーケンスで受信されたRACHシーケンスのすべての可能な組合せを決定するための手段と、
RACHシーケンスの前記組合せが、RACHシグネチャの前記プルーニングされたセットの中のRACHシグネチャに対応するかどうかを決定するための手段と
をさらに含む、請求項15に記載の装置。
【請求項１７】
前記1つまたは複数の非直交RACHシグネチャは、非直交RACHシーケンスの組合せを有するRACHシグネチャを含む、請求項11に記載の装置。
【請求項１８】
ワイヤレス通信のための装置であって、
メモリと、
前記メモリに結合された少なくとも1つのプロセッサと
を含み、前記少なくとも1つのプロセッサは、
ランダムアクセス手順(RACH)シグネチャの第1のセットをRACHシグネチャの第2のセットから選択することであって、各RACHシグネチャは、1つまたは複数のRACHシーケンスの組合せを含み、RACHシグネチャの前記第2のセットは、すべての可能なRACHシグネチャのセットのRACHシグネチャのプルーニングされたセットを含み、RACHシグネチャの前記プルーニングされたセットは、1つまたは複数の非直交RACHシグネチャを含む、選択することと、
RACHシグネチャの前記選択された第1のセットからのRACHシグネチャだけを、基地局によってカバーされるゾーンにある1つまたは複数のユーザ機器(UE)に割り当てることであって、前記1つまたは複数のUEのそれぞれが、単一のRACHシグネチャに割り当てられる、割り当てることと、
前記1つまたは複数のUEのうちの少なくとも1つのUEから、RACHシグネチャの前記第1のセットのうちの少なくとも1つのRACHシグネチャを受信することであって、前記少なくとも1つのRACHシグネチャは、前記少なくとも1つのUEを識別する対応するデータペイロードなしで受信される、受信することと、
前記少なくとも1つのRACHシグネチャと、RACHシグネチャの前記プルーニングされたセットとに基づいて、前記少なくとも1つのUEを識別することと
を行うように構成される、装置。
【請求項１９】
前記1つまたは複数の非直交RACHシグネチャは、非直交RACHシーケンスの組合せを有するRACHシグネチャを含む、請求項18に記載の装置。
【請求項２０】
コンピュータによって実行可能なコードを記憶したコンピュータ可読記録媒体であって、前記コードは、
ランダムアクセス手順(RACH)シグネチャの第1のセットをRACHシグネチャの第2のセットから選択するためのコードであって、各RACHシグネチャは、1つまたは複数のRACHシーケンスの組合せを含み、RACHシグネチャの前記第2のセットは、すべての可能なRACHシグネチャのセットのRACHシグネチャのプルーニングされたセットを含み、RACHシグネチャの前記プルーニングされたセットは、1つまたは複数の非直交RACHシグネチャを含む、コードと、
RACHシグネチャの前記選択された第1のセットからのRACHシグネチャだけを、基地局によってカバーされるゾーンにある1つまたは複数のユーザ機器(UE)に割り当てるためのコードであって、前記1つまたは複数のUEのそれぞれが、単一のRACHシグネチャに割り当てられる、コードと、
前記1つまたは複数のUEのうちの少なくとも1つのUEから、RACHシグネチャの前記第1のセットのうちの少なくとも1つのRACHシグネチャを受信するためのコードであって、前記少なくとも1つのRACHシグネチャは、前記少なくとも1つのUEを識別する対応するデータペイロードなしで受信される、コードと、
前記少なくとも1つのRACHシグネチャと、RACHシグネチャの前記プルーニングされたセットとに基づいて、前記少なくとも1つのUEを識別するためのコードと
を含む、コンピュータ可読記録媒体。
【請求項２１】
前記1つまたは複数の非直交RACHシグネチャは、非直交RACHシーケンスの組合せを有するRACHシグネチャを含む、請求項20に記載のコンピュータ可読記録媒体。